(57)【要約】      （修正有）【課題】カレンダー台紙から日付等のスクラッチ印刷物を削り取ることにより、カレンダー台紙に施されている絵画、写真、キャラクターが表れ、使用済のカレンダー台紙を装飾物として使用することができるカレンダーを提供する。【解決手段】カレンダー１００は、カレンダー台紙１０と、カレンダー台紙１０の一面にスクラッチ印刷で施された日付等のスクラッチ印刷物１１〜１３、１５および通常の印刷で施された他の印刷物１８とを備える。このため、カレンダー台紙１０から日付等のスクラッチ印刷物１１〜１３、１５を削り取ることにより、カレンダー台紙１０に施されている他の印刷物の絵画１８や写真、キャラクターが表れて、使用済のカレンダー台紙１０を装飾物として使用することができる。【選択図】図５
0003215019.tif 000002
【実用新案登録請求の範囲】
【請求項１】
カレンダー台紙と、
前記カレンダー台紙の少なくとも一面にスクラッチ印刷で施された日付と、
を備える、ことを特徴とするカレンダー。
【請求項２】
カレンダー台紙と、
前記カレンダー台紙の一面に、少なくとも日付、曜日および月数がスクラッチ印刷で施されたスクラッチ印刷物と、
前記カレンダー台紙の一面に通常の印刷で施された他の印刷物と、を備え、
前記他の印刷物の一部又は全部が、前記スクラッチ印刷物により覆い隠されている、ことを特徴とするカレンダー。
【考案の詳細な説明】
【技術分野】
【０００１】
本考案は、日付がスクラッチ印刷で施されているカレンダーに関する。
【背景技術】
【０００２】
スクラッチ印刷が施されているカレンダーとしては、たとえば、特許文献１、２、３、４、５がある。
特許文献１のカレンダーは、紙面（１）の削取部（３）に貯金すべき金額や運勢などを印刷し、その印刷の上に被覆（４）を設けて、削取部（３）の印刷を隠し、そして、被覆（４）を削り取ると、削取部（３）の印刷が現れるものである。
特許文献２のカレンダーは、紙面部分に写真、イラスト、文字等の情報（３）を印刷し、その印刷の上にスクラッチ部分（２）を設けて、情報（３）を隠し、そして、スクラッチ部分（２）を固体で擦ることにより、情報（３）が表れるものである。
特許文献３のカレンダーは、日付以外の部分に文字や絵などの情報（３）を印刷し、その印刷の上にスクラッチ部分（２）を設けて、情報（３）を隠し、そして、スクラッチ部分（２）を固体で擦ることにより、情報（３）が表示されるものである。
特許文献４のカレンダーは、スケジュール表（１）に絵又は文字等の予定（５）を印刷し、その印刷の上にスクラッチ印刷物分（４）を設けて、予定（５）を隠し、そして、スクラッチ印刷物分（４）を削り取って、予定（５）を表示させるものである。
特許文献５のカレンダーは、カレンダーの一部分に占いを印刷し、その印刷の上にスクラッチマーク（１）を設けて、占いを隠し、そして、スクラッチマーク（１）を削り取ることにより、占いが出るものである。
【先行技術文献】
【特許文献】
【０００３】
【特許文献１】特開２００３−３９８５４号公報
【特許文献２】実用新案登録第３１６１５０１号公報
【特許文献３】実用新案登録第３１５０４３４号公報
【特許文献４】実用新案登録第３０８３５６２号公報
【特許文献５】実用新案登録第３０３８４００号公報
【考案の概要】
【考案が解決しようとする課題】
【０００４】
特許文献１〜５のカレンダーは、被覆、スクラッチ部分、スクラッチ印刷物分、スクラッチマーク（以下、「スクラッチ部分」と称する）を削ることにより、スクラッチ部分により隠されていた貯金すべき金額、運勢、占い、絵、文字などの印刷を現すものである。
しかしながら、特許文献１〜５のカレンダーでは、日付をスクラッチ印刷で施し、過ぎた日付のスクラッチ印刷を削り取って、過ぎた日付を消すカレンダー、すなわち、日めくりタイプのカレンダーとして使用することができない。
【０００５】
本考案は、過ぎた日付のスクラッチ印刷を削り取って、過ぎた日付を消すカレンダー、すなわち、日めくりタイプのカレンダーとして使用することができるカレンダーを提供することにある。
また、本考案はカレンダー台紙から日付、曜日、月数、線（以下、「日付等」と称する）等のスクラッチ印刷物を削り取ることにより、カレンダー台紙に施されている他の印刷物（たとえば、絵画、写真、キャラクター）が表れ使用済のカレンダー台紙を装飾物として使用することができるカレンダーを提供することにある。
【課題を解決するための手段】
【０００６】
本考案は、カレンダー台紙と、カレンダー台紙の少なくとも一面にスクラッチ印刷で施された日付と、を備える、ことを特徴とするものである。
【０００７】
本考案は、カレンダー台紙と、カレンダー台紙の少なくとも一面にスクラッチ印刷で施された日付、曜日および月数のスクラッチ印刷物と、カレンダー台紙の少なくとも一面に通常の印刷で施された他の印刷物と、を備え、他の印刷物の一部又は全部が、スクラッチ印刷物により覆い隠されている、ことを特徴とするものである。
【考案の効果】
【０００８】
本考案のカレンダーは、過ぎた日付のスクラッチ印刷を削り取って、過ぎた日付を消すカレンダー、すなわち、日めくりタイプのカレンダーとして使用することができる。
また、本考案のカレンダーは、カレンダー台紙からスクラッチ印刷で施されたスクラッチ印刷物を削り取ることにより、カレンダー台紙に施されている他の印刷物（たとえば、絵画、写真、キャラクター）が表れ、使用済のカレンダー台紙を装飾物として使用することができる。
【図面の簡単な説明】
【０００９】
【図１】図１は、本考案の実施形態１に係るカレンダーを示す正面図である。
【図２】図２は、過ぎた日に対応する日付のスクラッチ印刷を削り取る状態を示す説明図である。
【図３】図３は、カレンダーを示す一部縦断面図である。（Ａ）は、日付のスクラッチ印刷が削り取られる前の状態を示す一部縦断面図である。（Ｂ）は、コインにより日付のスクラッチ印刷が削り取られている状態を示す一部縦断面図である。（Ｃ）は、日付のスクラッチ印刷が削り取られた後の状態を示す一部縦断面図である。
【図４】図４は、過ぎた日に対応する日付のスクラッチ印刷が削り取られたカレンダーを示す正面図である。
【図５】図５は、本考案の実施形態２に係るカレンダーを示し、日付等のスクラッチ印刷物の一部が削り取られて他の印刷物の一部が表示されている状態の正面図である。
【図６】図６は、スクラッチ印刷物の全部が削り取られて他の印刷物の全体が表示されている状態を示す正面図である。
【考案を実施するための形態】
【００１０】
以下、本考案に係るカレンダーの実施形態の２例について、図面を参照しながら詳細に説明する。なお、図３の一部縦断面図において、台紙およびスクラッチ印刷の厚さを実物よりも厚く図示している。
【００１１】
（実施形態１の構成の説明）
図１〜図４は、本考案に係るカレンダーの実施形態１を示す。以下、この実施形態１の構成について説明する。この実施形態１に係るカレンダー１は、２０１７年（平成２９年）１２月の１ヶ月分のカレンダーである。
【００１２】
この実施形態１に係るカレンダー１は、図１および図３（Ａ）に示すように、カレンダー台紙１０と、カレンダー台紙１０の一面にスクラッチ印刷で施された日付１１と、を備える。すなわち、この実施形態１に係るカレンダー１は、日付１１がスクラッチ印刷で施されている。
また、カレンダー台紙１０の一面には、スクラッチ印刷の日付１１以外に、曜日１２、月数１３、罫線１４、線１５、年数１６が印刷されている。この曜日１２、月数１３、罫線１４、線１５、年数１６は、スクラッチ印刷でも通常の印刷でも良い。
【００１３】
カレンダー台紙１０は、紙、紙の表面にニスや合成樹脂を塗布又はラミネートしたもの、合成樹脂などからなる。なお、カレンダー台紙１０の素材は、特に限定しない。日付１１のスクラッチ印刷は、公知の技術である。スクラッチ印刷としては、例えば、コインＣや爪等を用いて比較的容易に削り取ることができる性質を備えた印刷である。
【００１４】
スクラッチ印刷（特開２０１７−８０９６８号公報参照）は、具体的に、顔料、バインダ樹脂、および溶剤等を用いて混合、分散させてインキ組成物を製造し、これを用いて公知の印刷方法により印刷される。なお所望により、染料や顔料を配合して、着色してもよい。
スクラッチ印刷のインキ組成物に用いる顔料としては、例えば、アルミニウム粉末・黄銅粉末・銅粉末等の金属系粉末、炭酸カルシウム、酸化亜鉛、アルミナ、二酸化チタン、シリカ、硫酸バリウム、タルク、カオリン、クレー、カーボンブラック、樹脂粉末等を使用できる。また、バインダ樹脂としては、カレンダー台紙１０との接着性を考慮して選択され、例えば、天然ゴム、塩酸ゴム等のゴム系天然樹脂、ポリブタジエン、スチレンーブタジエン共重合体、アクリロニトリルーブタジエン共重合体、ポリイソプレン、ポリクロロプレン、アクリル、塩化ビニル、塩化ビニル酢酸ビニル共重合体等を使用することができる。
スクラッチ印刷の厚みは、１０〜３０μｍ程度が適当であり、より好ましくは１５〜２５μｍ程度である。
なお、スクラッチ印刷としては、前記のスクラッチ印刷の他に、削りカスが生じることが無いスクラッチ印刷（実用新案登録第３１３６５４１号公報参照）であっても良い。
【００１５】
（実施形態１の作用の説明）
この実施形態１に係るカレンダー１は、以上のごとき構成からなり、以下、その作用について説明する。
【００１６】
まず、手ＨにコインＣを持ち、過ぎた日に対応する日付１１をコインＣで削り取る（図２および図３（Ｂ）を参照）。すると、コインＣで削り取られた日付１１は、カレンダー台紙１０から消去される（図３（Ｃ）および図４を参照）。
以下、同様にして、日々、過ぎた日に対応する日付１１をコインＣで削り取り、過ぎた日の日付１１をカレンダー台紙１０から消去していく。
【００１７】
（実施形態１の効果の説明）
この実施形態１に係るカレンダー１は、以上のごとき構成、作用からなり、以下、その効果について説明する。
【００１８】
この実施形態１に係るカレンダー１は、過ぎた日付１１のスクラッチ印刷を削り取って、過ぎた日付１１をカレンダー台紙１０から消す。この結果、この実施形態１に係るカレンダー１は、日付１１だけが消されて、曜日１２、月数１３、罫線１４、線１５、年数１６は残るため、日めくりタイプのカレンダーとして使用することができる。
【００１９】
（実施形態２の構成の説明）
図５および図６は、本考案に係るカレンダーの実施形態２を示す。図中、図１〜図４と同符号は、同一の物を示す。以下、この実施形態２の構成について説明する。この実施形態２に係るカレンダー１００は、２０１８年（平成３０年）の１年分のカレンダーである。
【００２０】
この実施形態２に係るカレンダー１００は、図５および図６に示すように、カレンダー台紙１０と、スクラッチ印刷物１１、１２、１３、１５、１６、１７と、他の印刷物１８と、を備える。カレンダー台紙１０は、前記の実施形態１のカレンダー台紙１０と同様の構成からなるものである。
【００２１】
スクラッチ印刷物は、カレンダー台紙１０の一面にスクラッチ印刷で施された日付１１、曜日１２、月数１３、線１５、年数１６および「ＣＡＬＥＮＤＡＲ」の文字１７（以下、「スクラッチ印刷物１１〜１３、１５〜１７」と称する）である。このスクラッチ印刷物１１〜１３、１５〜１７は、不透明な印刷物が好ましい。
なお、日付１１、曜日１２、月数１３、線１５（日付等）をスクラッチ印刷物として、年数１６及び「ＣＡＬＥＮＤＡＲ」の文字１７は通常の印刷により施しても良い。
【００２２】
他の印刷物である絵画１８（この例では、富士山の絵画）は、通常の印刷により施されている。この絵画１８の一部は、スクラッチ印刷物１１〜１３、１５〜１７により覆い隠されている。なお、この絵画１８の全部がスクラッチ印刷物１１〜１３、１５〜１７により覆い隠されているものであっても良い。
この実施形態２において、他の印刷物として、富士山の絵画１８に限らず、その他の絵画、写真、キャラクターなどであっても良い。また、カレンダー台紙１０に絵画１８以外の印刷物を通常の印刷により施しても良い。
【００２３】
（実施形態２の作用の説明）
この実施形態２に係るカレンダー１００は、以上のごとき構成からなり、以下、その作用について説明する。
【００２４】
過ぎた日に対応する日付１１を、コインＣなどで削り取る。そして、日付等のスクラッチ印刷物１１〜１３、１５を、カレンダー台紙１０から消去すると、スクラッチ印刷物１１〜１３、１５で覆い隠されていた絵画１８が表示される。
図５では、１月、２月、３月の日付等のスクラッチ印刷物１１〜１３、１５が削り取られている状態を表わしていて、絵画１８は、図示のように、削り取られた日付等のスクラッチ印刷物１１〜１３、１５によって覆い隠されていた部分が表示され、残りの部分がスクラッチ印刷物１１〜１３、１５で覆い隠されている。
そして、１年が過ぎると、スクラッチ印刷物１１〜１３、１５〜１７が全て削り取られるから、図６に示すように、絵画１８は、全体的に表示される。
【００２５】
（実施形態２の効果の説明）
この実施形態２に係るカレンダー１００は、以上のごとき構成、作用からなり、以下、その効果について説明する。
【００２６】
この実施形態２に係るカレンダー１００は、前記の実施形態１に係るカレンダー１とほぼ同様の効果を達成することができる。
特に、この実施形態２に係るカレンダー１００は、カレンダー台紙１０の一面に絵画１８を施して、この絵画１８をスクラッチ印刷物１１〜１３、１５〜１７により覆い隠したものである。
この結果、この実施形態２に係るカレンダー１００は、過ぎた日に対応する日付１１を削り取って、さらに日付等のスクラッチ印刷物１１〜１３、１５をカレンダー台紙１０から消去すると、日付等のスクラッチ印刷物１１〜１３、１５で覆い隠されていた絵画１８が部分的に表示される。そして、１年が過ぎると、絵画１８が全体的に表示される。そのため、カレンダーとして使用が終わった後でも、この絵画１８が印刷されているカレンダー台紙１０を装飾物として使用することができる。
【００２７】
（その他の実施形態の説明）
上述した実施形態１、２は、その要旨を逸脱しない限りにおいて、様々に変更が可能である。
たとえば、カレンダー台紙１０に、１週間分、２ヶ月分、３ヶ月分、４ヶ月分の日付１１、または、日付等のスクラッチ印刷物１１〜１３、１５をスクラッチ印刷したものであっても良い。
また、カレンダー台紙１０の両面に、日付等のスクラッチ印刷物１１〜１３、１５をスクラッチ印刷し、絵画１８を印刷したものであっても良い。
【符号の説明】
【００２８】
１、１００…カレンダー
１０…カレンダー台紙
１１…日付（スクラッチ印刷物）
１２…曜日（スクラッチ印刷物）
１３…月数（スクラッチ印刷物）
１４…罫線（スクラッチ印刷物）
１５…線（スクラッチ印刷物）
１６…年数（スクラッチ印刷物）
１７…文字（スクラッチ印刷物）
１８…絵画（他の印刷物）
Ｃ…コイン
Ｈ…手
【図１】
0003215019.tif 000003
【図２】
0003215019.tif 000004
【図３】
0003215019.tif 000005
【図４】
0003215019.tif 000006
【図５】
0003215019.tif 000007
【図６】
0003215019.tif 000008